(57)【要約】【課題】防振部材の変位による撮像画像への影響の低減を図る空間安定装置を提供する。【解決手段】空間安定装置１００は、カメラ撮像部１４ａを含むカメラ筐体１３を回転可能に支持する取付部１１及び枠体１２と、カメラ筐体１３をピッチング方向に回転駆動するピッチング駆動モータ１８と、取付部１１からカメラ筐体１３へ伝達する振動を低減する弾性部材１５と、取付部１１に対して接近及び離れる方向のカメラ筐体１３の変位量Ｈを検出するヒービング検出センサ１６と、制御装置２１とを備える。制御装置２１は、カメラ撮像部１４ａと送電線５０の位置Ｐとの間の撮像距離Ｌを検出し、撮像距離Ｌとカメラ筐体１３の変位量Ｈとに基づき、カメラ筐体１３の変位に起因するカメラ撮像部１４ａの光軸ＯＡの変位を算出し、算出した光軸ＯＡの変位を低減するようにピッチング駆動モータ１８によってカメラ筐体１３をピッチング方向に回転させる。【選択図】図３
2014216823.tif 000002
【特許請求の範囲】
【請求項１】
撮像用カメラを含む筐体をピッチング方向に回転可能に有する空間安定装置において、
取付対象物に対して取り付けられ、前記筐体をピッチング方向に回転可能に支持する支持体と、
前記筐体をピッチング方向に回転駆動する駆動装置と、
前記支持体に設けられ、前記支持体から前記筐体へ伝達する振動を低減する弾性を有する防振部材と、
前記支持体に対して接近する及び離れる方向の前記筐体の変位を検出する変位検出装置と、
前記駆動装置の動作を制御すると共に、前記変位検出装置に対して検出結果を受け取るように接続された制御装置と
を備え、
前記制御装置は、
前記カメラと撮像対象物との間の撮像距離を検出し、
前記撮像距離と前記変位検出装置から受け取る前記筐体の変位とに基づき、前記筐体の変位に起因する前記カメラの光軸の変位を算出し、
算出した前記カメラの光軸の変位を低減するように前記筐体をピッチング方向に回転させる空間安定装置。
【請求項２】
前記制御装置は、前記カメラに複数層に配置されたレンズ間の距離を検出し、前記レンズ間の距離に基づき前記カメラと撮像対象物との間の撮像距離を算出する請求項１に記載の空間安定装置。
【請求項３】
前記制御装置は、前記筐体の変位に起因する前記カメラの光軸の変位を、前記カメラのピッチング方向の角度変位として算出する請求項１または２に記載の空間安定装置。
【請求項４】
前記支持体は、前記取付対象物に取り付けられる取付部と、前記取付部にヨー方向に回転可能に接続されると共に前記筐体をピッチング方向に回転可能に支持する枠体とを有し、
前記防振部材は、前記取付部と前記枠体との間に介在させて設けられ、
前記変位検出装置は、前記取付部に対して接近する及び離れる方向の前記枠体の変位を検出する請求項１〜３のいずれか一項に記載の空間安定装置。
【請求項５】
前記変位検出装置は、複数設けられ、
前記制御装置は、
複数の前記変位検出装置による検出結果から、前記支持体に対して接近する及び離れる方向の前記筐体の変位と、前記支持体に対する前記筐体の傾斜角とを算出し、
算出した前記筐体の変位及び傾斜角を使用して、前記カメラの光軸の変位を算出する請求項１〜４のいずれか一項に記載の空間安定装置。
【発明の詳細な説明】
【技術分野】
【０００１】
この発明は、空間安定装置に関する。
【背景技術】
【０００２】
ヘリコプタなどの飛翔体、車両等の移動可能な搭載対象物にカメラを固定し且つカメラの撮像方向を任意に変えることができる空間安定装置では、搭載対象物の振動がカメラの撮像画像に与える悪影響を抑えるために、防振機構が設けられる。
例えば、特許文献１には、無人ヘリコプタの機体に固定された機体ブラケットに、防振機構を構成する防振部材としてのスプリングを介してカメラ雲台が取り付けられるカメラ装置が記載されている。カメラ雲台は、支持するカメラを、機体ブラケットに垂直なパン軸を中心にヨー方向に回転動作させることできると共に、パン軸に垂直なチルト軸を中心にピッチング方向に回転動作させることができる。そして、このカメラ装置では、カメラのヨー方向の傾き及びピッチング方向の傾きをそれぞれパンジャイロ及びチルトジャイロで検出し、検出した傾きと逆方向にカメラを移動させて傾きをキャンセルするほか、カメラから受信した撮像データから、エンジン振動やロータ回転などに起因する振動及びノイズ等の高周波振動を画像制御装置で除去することによって、ヘリコプタの振動等による撮像画像への影響を低減している。
【先行技術文献】
【特許文献】
【０００３】
【特許文献１】特開２００６−２６４５６７公報
【発明の概要】
【発明が解決しようとする課題】
【０００４】
特許文献１に記載されるカメラ装置では、カメラの変位をパンジャイロ及びチルトジャイロを使用して、パン軸及びチルト軸を中心とした回転角度として検出して撮像方向を補正し、さらに、画像制御装置を使用して撮像画像から高周波振動成分を除去することによって撮像画像を補正している。しかしながら、ヘリコプタの揺動及び振動等によって、スプリングが、機体ブラケットに垂直な上下方向（ヒービング方向）に伸縮変位して機体ブラケットに対してカメラ雲台を変位させた場合、この変位によって撮像画像内で被写体が上下に変位するが、パンジャイロ及びチルトジャイロによる補正、及び画像制御装置による補正のいずれの補正によっても、上記の撮像画像内での被写体の変位を低減することができず、鮮明でブレのない安定した撮像画像を得ることができないという問題がある。
【０００５】
この発明はこのような問題点を解決するためになされたものであり、防振部材の変位による撮像画像への影響の低減を図る空間安定装置を提供することを目的とする。
【課題を解決するための手段】
【０００６】
上記の課題を解決するために、この発明に係る空間安定装置は、撮像用カメラを含む筐体をピッチング方向に回転可能に有する空間安定装置において、取付対象物に対して取り付けられ、筐体をピッチング方向に回転可能に支持する支持体と、筐体をピッチング方向に回転駆動する駆動装置と、支持体に設けられ、支持体から筐体へ伝達する振動を低減する弾性を有する防振部材と、支持体に対して接近する及び離れる方向の筐体の変位を検出する変位検出装置と、駆動装置の動作を制御すると共に、変位検出装置に対して検出結果を受け取るように接続された制御装置とを備え、制御装置は、カメラと撮像対象物との間の撮像距離を検出し、撮像距離と変位検出装置から受け取る筐体の変位とに基づき、筐体の変位に起因するカメラの光軸の変位を算出し、算出したカメラの光軸の変位を低減するように筐体をピッチング方向に回転させる。
【０００７】
制御装置は、カメラに複数層に配置されたレンズ間の距離を検出し、レンズ間の距離に基づきカメラと撮像対象物との間の撮像距離を算出してもよい。
制御装置は、筐体の変位に起因するカメラの光軸の変位を、カメラのピッチング方向の角度変位として算出してもよい。
また、支持体は、取付対象物に取り付けられる取付部と、取付部にヨー方向に回転可能に接続されると共に筐体をピッチング方向に回転可能に支持する枠体とを有し、防振部材は、取付部と枠体との間に介在させて設けられ、変位検出装置は、取付部に対して接近する及び離れる方向の枠体の変位を検出してもよい。
また、上記空間安定装置では、変位検出装置は、複数設けられ、制御装置は、複数の変位検出装置による検出結果から、支持体に対して接近する及び離れる方向の筐体の変位と、支持体に対する筐体の傾斜角とを算出し、算出した筐体の変位及び傾斜角を使用して、カメラの光軸の変位を算出してもよい。
【発明の効果】
【０００８】
この発明に係る空間安定装置によれば、防振部材の変位による撮像画像への影響を低減することが可能になる。
【図面の簡単な説明】
【０００９】
【図１】この発明の実施の形態に係る空間安定装置を備えるヘリコプタの模式的な側面図である。
【図２】図１の空間安定装置を拡大した模式的な側面図である。
【図３】図２の空間安定装置による光軸補正の状態を示す図である。
【図４】図３に示す状態における空間安定装置による撮像画像の状態を示す図である。
【図５】空間安定装置の変形例による光軸補正の状態を示す図である。
【発明を実施するための形態】
【００１０】
以下、この発明の実施の形態について添付図面に基づいて説明する。
実施の形態
まず、この発明の実施の形態に係る空間安定装置１００の構成を説明する。
図１を参照すると、空間安定装置１００を搭載したヘリコプタ１が示されている。図示されるように、空間安定装置１００は、ヘリコプタ１に搭載される場合、内蔵するカメラ撮像部１４ａを下側にして機体１ａの下部に取り付けられる。空間安定装置１００は、カメラ撮像部１４ａの向きを変更することによって、ヘリコプタ１の周囲及び下方の全方位に対してカメラ撮像部１４ａによる撮像を可能とする。
ここで、カメラ撮像部１４ａは撮像用カメラを構成している。
【００１１】
図２には、空間安定装置１００の詳細が側面図で示されている。
空間安定装置１００は、ヘリコプタ１の機体１ａに取り付けられて固定される板状の取付部１１と、取付部１１の下方側に配置され且つ取付部１１の内部に基部１２ｂが埋め込まれた枠体１２と、枠体１２によって支持された球状のカメラ筐体１３と、カメラ筐体１３の内部に収容されるカメラ撮像部１４ａとを備えている。なお、本実施の形態では、カメラ撮像部１４ａは、デジタル静止画及びデジタル動画の撮像が可能な構成を有するものとする。
枠体１２は、紙面の奥行き方向に向かって延在し且つ紙面上で下方向に向いたコの字状をした断面を有する枠本体部１２ａと、枠本体部１２ａの取付部１１側に一体に設けられて取付部１１に向かって延びる環状の基部１２ｂとによって構成されている。
ここで、ヘリコプタ１の機体１ａは、取付対象物を構成し、取付部１１及び枠体１２は、支持体を構成している。
【００１２】
基部１２ｂの一部が取付部１１内に位置している。さらに、基部１２ｂの外周側に周方向に沿って形成された環状の凹部１２ｂ１には、取付部１１の一部である環状の突出係合部１１ａが遊びをもって係合して基部１２ｂの外れ止めとして作用しており、これによって、枠体１２が取付部１１から逸脱することが防がれる。取付部１１は、環状の基部１２ｂの内側の中心において、枠体１２の枠本体部１２ａ内に突出するようにして延びる支柱１１ｂを有している。さらに、この支柱１１ｂの外周面と基部１２ｂの内周面との間には、ボールベアリング１１ｃが設けられている。このため、枠体１２の基部１２ｂは、ボールベアリング１１ｃ及び支柱１１ｂによって、支柱１１ｂを中心としたヨー方向に回転自在に支持される。
【００１３】
また、取付部１１の内部において、枠体１２の基部１２ｂにおける枠本体部１２ａと反対側の端部には、環状の弾性部材１５が設けられている。弾性部材１５は、基部１２ｂに当接すると共に、基部１２ｂと反対側で取付部１１の部材に当接している。そして、弾性部材１５は、板状のシリコンゴム、又は支柱１１ｂの軸方向に延びるコイルバネなどのバネ部材等によって構成されている。よって、弾性部材１５は、機体１ａなどから取付部１１に付与された振動・揺れを減衰させ、基部１２ｂに伝達する振動・揺れを低減する。なお、弾性部材１５は、弾性を有する防振部材を構成し、本実施の形態では板状のシリコンゴムとする。
ちなみに、枠体１２は、枠本体部１２ａと取付部１１の支柱１１ｂの先端部との間及び枠本体部１２ａとボールベアリング１１ｃとの間に間隙を形成すると共に、取付部１１の突出係合部１１ａに対して基部１２ｂを緩く係合させているため、取付部１１に対して支柱１１ｂの軸方向に弾性部材１５を変形させつつ上下方向（ヒービング方向）に移動することができる。
【００１４】
さらに、枠体１２の枠本体部１２ａの内部には、支柱１１ｂの突出する先端部に対向して第一ヒービング検出センサ１６ａが設けられている。第一ヒービング検出センサ１６ａは、弾性部材１５が支柱１１ｂの軸方向に伸縮することによって上下方向（ヒービング方向）に変位する枠体１２の変位量を検出する。また、支柱１１ｂの先端部にも第二ヒービング検出センサ１６ｂが設けられており、第二ヒービング検出センサ１６ｂは、支柱１１ｂつまり取付部１１のヒービング変位量を検出する。そして、第一ヒービング検出センサ１６ａ及び第二ヒービング検出センサ１６ｂは、支柱１１ｂに対する枠体１２の相対変位量、つまり弾性部材１５のヒービング変位量を検出するヒービング検出センサ１６を構成する。
【００１５】
本実施の形態では、第一ヒービング検出センサ１６ａ及び第二ヒービング検出センサ１６ｂは、加速度を検出する加速度センサである。第一ヒービング検出センサ１６ａ及び第二ヒービング検出センサ１６ｂは、機体１ａの内部に配置された制御装置２１に、検出結果を送信するように電気的に接続されている。そして、制御装置２１は、２つのヒービング検出センサ１６ａ及び１６ｂから送られる枠体１２及び支柱１１ｂの加速度から、支柱１１ｂに対する枠体１２の相対加速度を算出することによって相対変位量を算出する。
ここで、ヒービング検出センサ１６は、変位検出装置を構成している。
【００１６】
また、枠体１２には、枠体１２をヨー方向に回転させるヨー駆動モータ１７が設けられている。ヨー駆動モータ１７は、枠体１２の枠本体部１２ａと一体に設けられ、図示しない回転部分を取付部１１の支柱１１ｂにギヤ係合等によって機械的に連結させており、回転部分を回転させることによって支柱１１ｂに対して枠体１２をヨー方向に相対回転させる。なお、ヨー駆動モータ１７は、制御装置２１に、その動作が制御されるように電気的に接続されている。また、支柱１１ｂの周りには、ヨー回転角度センサ１７ａが設けられており、ヨー回転角度センサ１７ａは、支柱１１ｂに対する枠体１２のヨー方向の回転角度を検出して制御装置２１に送信するように構成されている。よって、制御装置２１は、ヨー回転角度センサ１７ａから受信する枠体１２のヨー方向の回転角度情報に基づき、ヨー駆動モータ１７の動作を制御し、枠体１２を所望の回転角度で回転させることができる。
【００１７】
また、カメラ筐体１３は、その球状をした本体部１３ａと、本体部１３ａから突出する筒状部１３ｂとによって構成されている。筒状部１３ｂには、カメラ撮像部１４ａのレンズが埋め込まれている。本体部１３ａは、コの字状をした枠体１２の枠本体部１２ａにおける両側のアーム状部位１２ａ１によって、両側から回転自在に支持されている。カメラ筐体１３は、取付部１１の支柱１１ｂの軸方向に垂直な軸を中心として回転する、つまりピッチング方向に回転することができる。
【００１８】
さらに、アーム状部位１２ａ１の内部には、ピッチング駆動モータ１８が設けられている。ピッチング駆動モータ１８は、カメラ筐体１３の回転軸と機械的に連結されており、カメラ筐体１３をピッチング方向に回転駆動する。なお、ピッチング駆動モータ１８は、制御装置２１に、その動作が制御されるように電気的に接続されている。また、カメラ筐体１３の回転軸の周りには、ピッチング回転角度センサ１８ａが設けられており、ピッチング回転角度センサ１８ａは、枠体１２に対するカメラ筐体１３のピッチング方向の回転角度を検出して制御装置２１に送信するように構成されている。よって、制御装置２１は、ピッチング回転角度センサ１８ａから受信するカメラ筐体１３のピッチング方向の回転角度情報に基づき、ピッチング駆動モータ１８の動作を制御し、カメラ筐体１３を所望の回転角度で回転させることができる。
ここで、ピッチング駆動モータ１８は、駆動装置を構成している。
【００１９】
また、カメラ筐体１３内のデジタル式のカメラ撮像部１４ａは、制御装置２１を介して、機体１ａの内部に配置されたカメラ本体部１４ｂに電気的に接続され、制御装置２１を介して撮像画像データをカメラ本体部１４ｂに送信する。そして、カメラ本体部１４ｂは、受信した撮像画像を付属のモニタ等に映し出す。なお、カメラ本体部１４ｂの映し出す画像は、制御装置２１に別のモニタを接続することによって、そのモニタに表示することもできる。さらに、カメラ撮像部１４ａは、カメラ本体部１４ｂにおいて操作されることによって、焦点合わせ、露出調整、シャッター速度調整、シャッター動作、動画撮像開始・終了等の撮像動作の制御を受ける。
【００２０】
また、カメラ撮像部１４ａのレンズには、焦点を合わせて画像を取得するために移動させられるピントレンズである移動レンズ（図示せず）と、位置が不変の固定レンズ（図示せず）とが含まれている。そして、カメラ撮像部１４ａには、移動レンズと固定レンズとの間の距離を検出するレンズ間距離検出センサ１９が設けられている。レンズ間距離検出センサ１９は、検出したレンズ間の距離情報を送信するように制御装置２１に電気的に接続されている。制御装置２１は、受信した移動レンズと固定レンズとの間の距離情報から、このレンズの位置状態で焦点が合うようなカメラ撮像部１４ａからの距離を算出する。
【００２１】
また、制御装置２１には、機体１ａの内部に設けられた操作コントローラ２２が電気的に接続されている。操作コントローラ２２は、ユーザによって入力されたスティック操作情報を制御装置２１に送信し、制御装置２１は、受信したスティック操作情報に基づきヨー駆動モータ１７及びピッチング駆動モータ１８を駆動させ、ユーザの要求する入力情報に合わせるようにカメラ筐体１３の筒状部１３ｂ内のレンズを方向付けることができる。
従って、空間安定装置１００は、制御装置２１によって、ヨー駆動モータ１７及びピッチング駆動モータ１８が駆動されることによって、カメラ筐体１３の筒状部１３ｂ内のレンズを任意に方向付けることができる。
【００２２】
次に、この発明の実施の形態に係る空間安定装置１００の動作を説明する。
図１及び図２をあわせて参照すると、ヘリコプタ１の機体１ａの下部に搭載された空間安定装置１００では、機体１ａ内の操作者が、カメラ撮像部１４ａから送られてカメラ本体部１４ｂに映し出される撮像画像を確認しながら、操作コントローラ２２を操作することによって、カメラ筐体１３の筒状部１３ｂの向きがヨー方向及びピッチング方向に調節され、それにより、筒状部１３ｂ内のカメラ撮像部１４ａのレンズが被写体に向けられる。さらに、操作者がカメラ本体部１４ｂを手動操作することによって、カメラ撮像部１４ａのレンズの焦点が、被写体に対して合わせられる。
【００２３】
図３を図２と共に参照すると、例えば、空間安定装置１００において、カメラ撮像部１４ａのレンズの光軸ＯＡが送電線５０上の位置Ｐに方向付けられ、その焦点が送電線５０上の位置Ｐに手動操作によって合わせられる。このとき、レンズ間距離検出センサ１９は、カメラ撮像部１４ａの図示しない移動レンズと固定レンズとの間の距離を検出し、この検出結果を制御装置２１に送信する。制御装置２１は、受信したレンズ間距離にある移動レンズ及び固定レンズの状態で焦点が合うようなカメラ撮像部１４ａからの距離（撮像距離）Ｌを算出する。つまり、制御装置２１は、カメラ撮像部１４ａから、焦点が合わされている送電線５０上の位置Ｐまでの撮像距離Ｌを算出する。
ここで、送電線５０は、撮像対象物を構成している。
【００２４】
また、空間安定装置１００には、ヘリコプタ１のエンジン、ロータ等の振動やヘリコプタ１の上下動による揺れ、振動が機体１ａを介して伝達する。伝達した振動及び揺れは、取付部１１を介して弾性部材１５に伝達し、取付部１１及び枠体１２の間で挟まれた状態で振動及び揺れを受ける弾性部材１５が伸縮することによって、減衰される。このときの弾性部材１５の伸縮によって、枠体１２が取付部１１に対してヒービング方向に相対変位し、このヒービング変位量Ｈがヒービング検出センサ１６によって検出されて制御装置２１に送信される。
【００２５】
そして、制御装置２１は、上述で算出した撮像距離Ｌと、ヒービング検出センサ１６から受信したヒービング変位量Ｈとを使用して、下記の式によって求まる補正角度α（単位：ラジアン）を算出する。なお、変位量Ｈは、上方への変位の場合には正の値をとり、下方への変位の場合には負の値をとる。
α＝ＡＴＡＮ（Ｈ／Ｌ）
なお、ＡＴＡＮ（Ｈ／Ｌ）は、Ｈ／Ｌのアークタンジェント（逆正接関数）である。
【００２６】
図３において振動、揺れ等によって枠体１２が上方に変位量Ｈで変位するとカメラ撮像部１４ａの光軸ＯＡが光軸ＯＡ１に移動し、カメラ撮像部１４ａは、撮像画像の中心を、位置Ｐから、位置Ｐに対して距離Ｈだけ上方に移動した位置Ｐ１に移動させて、送電線５０を撮像する。つまり、カメラ撮像部１４ａによる撮像画像を表す図４に示すように、撮像画像６０内では、送電線５０は、実線で示す状態Ａから破線で示す状態Ｂに下方に移動することになる。そして、枠体１２が上下に変位すると、撮像画像６０内の送電線５０は上下にブレることになる。
【００２７】
そこで、図２及び図３に戻り、制御装置２１は、上述の式によって算出した補正角度α（変位量Ｈは正の値のため、αは正の値となる）を使用し、カメラ筐体１３のカメラ撮像部１４ａ（つまり筒状部１３ｂ）を下方に向かって角度α（上方に向かって角度−α）だけピッチング方向に回転させるようにピッチング駆動モータ１８を動作させ、位置Ｐを撮像画像の中心に戻すように光軸ＯＡ２に光軸を変化させる。
制御装置２１による上述の制御が繰り返し継続して実行されることによって、撮像画像６０内では、送電線５０の位置Ｐが中央位置に維持され、撮像画像６０内における送電線５０のブレが抑えられる。
【００２８】
このように、この発明の実施の形態に係る空間安定装置１００は、カメラ撮像部１４ａを含むカメラ筐体１３をピッチング方向に回転可能に有する。空間安定装置１００は、ヘリコプタ１の機体１ａに対して取り付けられ且つカメラ筐体１３をピッチング方向に回転可能に支持する取付部１１及び枠体１２と、カメラ筐体１３をピッチング方向に回転駆動するピッチング駆動モータ１８と、取付部１１及び枠体１２に設けられ且つ取付部１１からカメラ筐体１３へ伝達する振動を低減する弾性部材１５と、取付部１１に対して接近する及び離れる方向のカメラ筐体１３の変位量Ｈを検出するヒービング検出センサ１６と、ピッチング駆動モータ１８の動作を制御すると共にヒービング検出センサ１６に対して検出結果を受け取るように接続された制御装置２１とを備える。制御装置２１は、カメラ撮像部１４ａと被写体（送電線５０）との間の撮像距離Ｌを検出し、撮像距離Ｌとヒービング検出センサ１６から受け取るカメラ筐体１３の変位量Ｈとに基づき、カメラ筐体１３の変位に起因するカメラ撮像部１４ａの光軸ＯＡの変位を算出し、算出したカメラ撮像部１４ａの光軸ＯＡの変位を低減するようにカメラ筐体１３をピッチング方向に回転させる。
【００２９】
このとき、制御装置２１は、取付部１１に対して接近する及び離れる方向にカメラ筐体１３が変位した際に光軸ＯＡから光軸ＯＡ１に変位したカメラ撮像部１４ａの光軸の変位を、カメラ筐体１３の変位量Ｈ及び撮像距離Ｌから算出し、撮像画像内における光軸ＯＡのときからズレた光軸ＯＡ１のときの被写体の位置を光軸ＯＡのときの状態に戻すように、カメラ筐体１３のピッチング方向の位置を制御する。これにより、撮像画像内での被写体の位置は、一定の位置に保たれ、撮像画像内における被写体のブレの低減が可能になる。
【００３０】
また、空間安定装置１００では、制御装置２１は、カメラ撮像部１４ａに複数層に配置されたレンズ間の距離を検出し、検出したレンズ間の距離に基づきカメラ撮像部１４ａと被写体（送電線５０）との間の撮像距離Ｌを算出する。このとき、カメラ撮像部１４ａでは、レンズ間の距離を検出するためのレンズ間距離検出センサ１９が設けられるだけよいため、構造の簡易化及び小型化を図ることができる。
【００３１】
また、空間安定装置１００では、制御装置２１は、カメラ筐体１３の変位に起因するカメラ撮像部１４ａの光軸ＯＡの変位を、カメラ撮像部１４ａのピッチング方向の角度変位αとして算出する。これにより、光軸ＯＡの変位を低減するための制御装置２１によるカメラ筐体１３のピッチング方向の動作制御が容易になる。
【００３２】
また、空間安定装置１００は、支持体として、ヘリコプタ１の機体１ａに取り付けられる取付部１１と、取付部１１にヨー方向に回転可能に接続されると共にカメラ筐体１３をピッチング方向に回転可能に支持する枠体１２とを有し、弾性部材１５は、取付部１１と枠体１２との間に介在させて設けられ、ヒービング検出センサ１６は、取付部１１に対して接近する及び離れる方向の枠体１２の変位を検出する。これにより、ヨー方向及びピッチング方向にカメラ筐体１３（カメラ撮像部１４ａ）を移動させることの可能な空間安定装置１００において、取付部１１に対して接近する及び離れる方向にカメラ筐体１３が変位した際のカメラ撮像部１４ａの光軸ＯＡの変位を低減することができる。
【００３３】
また、実施の形態の空間安定装置１００では、一組の第一ヒービング検出センサ１６ａ及び第二ヒービング検出センサ１６ｂを用いて、取付部１１に対する枠体１２の相対変位量が検出されていたが、これに限定されるものではない。例えば、図５に示すように、枠体１２において、支柱１１ｂの周囲に複数の第一ヒービング検出センサ１６ａを環状に設け、取付部１１において、弾性部材１５の背部の第一ヒービング検出センサ１６ａに対向する位置に第二ヒービング検出センサ１６ｂを環状に設けてもよい。このとき、枠体１２が、弾性部材１５の伸縮によって取付部１１に対してヒービング方向に変位すると共に傾き、カメラ撮像部１４ａの光軸ＯＡが光軸ＯＡ１に移動した場合であっても、制御装置２１は、光軸ＯＡの変位による撮像画像内における送電線５０のブレを抑えることができる。具体的には、制御装置２１は、複数の第一ヒービング検出センサ１６ａ及び第二ヒービング検出センサ１６ｂによる検出結果から、各センサ位置での取付部１１に対する枠体１２の相対変位量を算出し、算出した相対変位量から、相対変位量の平均値Ｈ、及び、取付部１１に対する枠体１２の傾斜角度β（ピッチング方向の角度）を算出する。そして、制御装置２１は、平均相対変位量Ｈからこのヒービング変位に対する補正角度αを算出し、この補正角度αと傾斜角度βとを合わせた補正角度（α＋β）でカメラ筐体１３をピッチング方向に回転させて、カメラ撮像部１４ａの光軸ＯＡを光軸ＯＡ２に変化させ、撮像画像内において送電線５０の位置Ｐが一定の位置となるようにする。
【００３４】
また、実施の形態の空間安定装置１００では、ヒービング検出センサ１６には、加速度センサである第一ヒービング検出センサ１６ａ及び第二ヒービング検出センサ１６ｂが用いられていたが、これに限定されるものではない。ヒービング検出センサ１６には、圧電体が積層された構成を有して圧電体の伸縮を電荷に変換するピエゾ素子、対象物に照射したレーザーの反射波に基づき対象物までを測拒するレーザー測距装置、被検出物の移動を直接的に検出する直動型ポジションセンサ等を用いることができる。ピエゾ素子又は直動型ポジションセンサを用いる場合、これらは、取付部１１の支柱１１ｂと枠体１２との間や弾性部材１５に隣接した位置などで、取付部１１及び枠体１２の双方に接触し且つ弾性部材１５の伸縮と共に変位するようにして配置されることで、取付部１１に対する枠体１２の相対変位量を検出することができる。また、レーザー測距装置を用いる場合、弾性部材１５に近接した位置で、枠体１２から取付部１１にレーザーを照射することによって、取付部１１に対する枠体１２の相対変位量を検出することができる。
【００３５】
また、実施の形態の空間安定装置１００では、制御装置２１は、手動で焦点が合わされるカメラ撮像部１４ａ内の移動レンズと固定レンズとの間の距離を、レンズ間距離検出センサ１９を用いて検出することによって、カメラ撮像部１４ａから焦点を合わせている被写体までの撮像距離を算出していたが、これに限定されるものではない。空間安定装置１００では、制御装置２１は、カメラ撮像部１４ａからレーザー、赤外線、超音波などを被写体に照射し、その反射波が戻ってくるまでの時間や照射角度を検出することによって、被写体のまでの撮像距離を検出するようにしてもよい。
【００３６】
又は、カメラ撮像部１４ａは、アクティブ方式又はパッシブ方式などのオートフォーカス機能を有していてもよく、制御装置２１は、オートフォーカス機能によって実施される被写体までの測拒結果を利用してもよい。
例えば、アクティブ方式のオートフォーカスの場合、カメラ撮像部１４ａは、赤外線、超音波などを被写体に照射し、その反射波が戻るまでの時間や照射角度によって被写体のまでの撮像距離を検出する。このため、制御装置２１は、カメラ撮像部１４ａが計測する被写体のまでの距離を利用するようにすることができる。
【００３７】
また、パッシブ方式である位相差オートフォーカスの場合、カメラ撮像部１４ａは、レンズから入った光を２つに分けて専用のセンサへ導き、結像した２つの画像の間隔からピントの方向と量とを判断する。このため、制御装置２１は、カメラ撮像部１４ａが判断したピントの方向と量とから、カメラ撮像部１４ａから被写体のまでの撮像距離を算出することができる。また、パッシブ方式であるコントラストオートフォーカスの場合、カメラ撮像部１４ａは、撮像素子に映った映像をもとに、ピントレンズ（移動レンズ）を動かしながら明暗差（コントラスト）が大きなところを探してピントを合わせる。このとき、制御装置２１は、移動レンズと固定レンズとの間の距離を検出することによってカメラ撮像部１４ａから被写体のまでの撮像距離を算出することができる。
【００３８】
また、実施の形態では、空間安定装置１００は、ヘリコプタ１に搭載されるものとして記載されていたが、これに限定されるものでなく、他の飛翔体、陸上を移動する車両、船舶等に搭載されてもよい。
【符号の説明】
【００３９】
１  ヘリコプタ、１ａ  ヘリコプタの機体（取付対象物）、１１  取付部（支持体）、１２  枠体（支持体）、１３  カメラ筐体、１４ａ  カメラ撮像部（撮像用カメラ）、１５  弾性部材（防振部材）、１６  ヒービング検出センサ（変位検出装置）、１８  ピッチング駆動モータ（駆動装置）、２１  制御装置、５０  送電線（撮像対象物）、１００  空間安定装置、Ｌ  撮像距離、Ｈ  筐体の変位、ＯＡ，ＯＡ１，ＯＡ２  光軸、α，β  光軸の角度変位。
【図１】
2014216823.tif 000003
【図２】
2014216823.tif 000004
【図３】
2014216823.tif 000005
【図４】
2014216823.tif 000006
【図５】
2014216823.tif 000007